(57)【特許請求の範囲】
【請求項１】
光源から射出された赤色光および赤外光を含む励起光の照射を受けて蓄積性蛍光体シートから発生した輝尽発光光を、該輝尽発光光を透過させ前記赤色光を遮断する励起光カットフィルタを通して、シリコンを主成分とするフォトダイオードからなる受光素子で受光し光電変換して、前記蓄積性蛍光体シートに記録されている放射線像を示す放射線画像信号を取得する放射線画像信号取得方法において、
前記光源から射出された励起光を、赤外光に対して前記蓄積性蛍光体シートと略同等の反射特性を有し前記励起光が照射されても輝尽発光光を発生しない基準板で反射させ、該基準板で反射された励起光を前記励起光カットフィルタを通して前記受光素子で受光し光電変換して前記励起光中の赤外光成分を示す赤外光画像信号を取得し、該赤外光画像信号を前記放射線画像信号から差し引いて該放射線画像信号を補正することを特徴とする放射線画像信号取得方法。
【請求項２】
赤色光および赤外光を含む励起光を射出する光源と、該赤色光を遮断し、前記励起光の照射を受けて蓄積性蛍光体シートから発生した輝尽発光光を透過させる励起光カットフィルタと、該励起光カットフィルタを通して前記輝尽発光光を受光し光電変換して前記蓄積性蛍光体シートに記録されている放射線像を示す放射線画像信号を取得する、シリコンを主成分とするフォトダイオードからなる受光素子とを備えた放射線画像信号取得装置において、
前記光源から射出された励起光を、赤外光に対して前記蓄積性蛍光体シートと略同等の反射特性を有し前記励起光が照射されても輝尽発光光を発生しない基準板で反射させ、該基準板で反射された励起光を前記励起光カットフィルタを通して前記受光素子で受光し光電変換して取得した前記励起光中の赤外光成分を示す赤外光画像信号を、前記放射線画像信号から差し引いて該放射線画像信号を補正する画像信号補正手段を備えていることを特徴とする放射線画像信号取得装置。
【請求項３】
前記基準板を備えていることを特徴とする請求項２記載の放射線画像信号取得装置。
【請求項４】
前記基準板が、放射線エネルギーが消去されている前記蓄積性蛍光体シートであることを特徴とする請求項２または３記載の放射線画像信号取得装置。
【請求項５】
前記画像信号補正手段が、前記赤外光画像信号を記憶する赤外光画像信号記憶手段を備え、該赤外光画像信号記憶手段に記憶された前記赤外光画像信号を用いて前記補正を行なうものであることを特徴とする請求項２から４のいずれか１項記載の放射線画像信号取得装置。
【発明の詳細な説明】
【０００１】
【発明の属する技術分野】
本発明は、放射線画像信号取得方法および装置に関し、詳しくは、励起光の照射を受けて蓄積性蛍光体シートから発生した輝尽発光光を、シリコンを主成分とするフォトダイオードからなる受光素子で受光する放射線画像信号取得方法および装置に関するものである。
【０００２】
【従来の技術】
従来より、Ｘ線等の放射線を照射するとこの放射線エネルギの一部を蓄積し、その後、可視光等の励起光を照射すると蓄積された放射線エネルギに応じて輝尽発光を示す蓄積性蛍光体（輝尽性蛍光体）を利用して、人体等の被写体の放射線像を蓄積性蛍光体層に一旦潜像として記録し、この蓄積性蛍光体層にレーザ光等の励起光を照射して輝尽発光光を生じせしめ、この輝尽発光光を光電的に検出して被写体の放射線像を示す画像信号を取得する放射線画像記録装置および放射線画像読取装置等からなる放射線画像記録再生システムがＣＲ（Ｃｏｍｐｕｔｅｄ
Ｒａｄｉｏｇｒａｐｈｙ）としてが知られている。
【０００３】
上記放射線画像読取装置には、半導体レーザから射出された赤色の励起光の照射を受けて蓄積性蛍光体シートから発生した輝尽発光光を、この輝尽発光光を透過させ上記赤色光を遮断する励起光カットフィルタを通して光電子増倍管で検出し、上記蓄積性蛍光体シートに記録されている放射線像を示す放射線画像信号を取得するものが知られている。
【０００４】
上記半導体レーザから射出される赤色の励起光は、一般に赤色光の他に赤外光を含んでおり、赤色光は励起光カットフィルタで遮断されるが、赤外光は励起光カットフィルタを透過してしまう。しかしながら、光電子増倍管は赤外光に対して殆ど感度を持たないので、励起光の照射を受けて蓄積性蛍光体シートから発生した可視光領域の波長を持つ輝尽発光光を光電子増倍管で検出する際に、上記赤外光がされることはない。
【０００５】
【発明が解決しようとする課題】
ところで、放射線画像読取装置への小型化の要請に伴い、光電子増倍管の替わりにサイズが小さいＣＣＤ素子を用い、このＣＣＤ素子によって、上記蓄積性蛍光体シートから発生する輝尽発光光を受光して蓄積性蛍光体シートに記録されている放射線像を示す放射線画像信号を取得する装置が検討されている。
【０００６】
ここで、ＣＣＤ素子はシリコンを主成分とするフォトダイオードからなる受光素子であって可視光のみならず赤外光に対しても高い感度を有し、半導体レーザから射出された励起光に含まれる赤外光が、上記励起光カットフィルタを透過してＣＣＤ素子に入射するとノイズとして検出されてしてしまうので、上記赤外光を遮断する赤外光カットフィルタを光源と蓄積性蛍光体シートとの間、あるいは蓄積性蛍光体シートとＣＣＤ素子との間に挿入して、上記赤外光を除去したいという要請がある。
【０００７】
しかしながら、光源と蓄積性蛍光体シートとの間に挿入され、蓄積性蛍光体シートの励起に必要な赤色光を透過させ赤外光を遮断する十分な性能を有するフィルタ、あるいは蓄積性蛍光体シートとＣＣＤ素子との間に挿入され、輝尽発光光の検出に用いられる可視領域の波長を持つ光を透過させ赤外光を遮断する十分な性能を有するフィルタは非常に製作コストが高いものとなるので、製品への適用は実質的に困難であるという問題がある。
【０００８】
この問題は、ＣＣＤ素子で輝尽発光光の検出を行なう場合に限らず、シリコンを主成分とするフォトダイオードからなる受光素子で検出する場合に一般的に生じる問題である。
【０００９】
本発明は、上記事情に鑑みてなされたものであり、放射線像を示す放射線画像信号に混入して取得された赤外光を示す画像信号の成分を低減することができる放射線画像信号取得方法および装置を提供することを目的とするものである。
【００１０】
【課題を解決するための手段】
本発明の放射線画像信号取得方法は、光源から射出された赤色光および赤外光を含む励起光の照射を受けて蓄積性蛍光体シートから発生した輝尽発光光を、この輝尽発光光を透過させ赤色光を遮断する励起光カットフィルタを通して、シリコンを主成分とするフォトダイオードからなる受光素子で受光し光電変換して、蓄積性蛍光体シートに記録されている放射線像を示す放射線画像信号を取得する放射線画像信号取得方法において、光源から射出された励起光を、赤外光に対して前記蓄積性蛍光体シートと略同等の反射特性を有し励起光が照射されても輝尽発光光を発生しない基準板で反射させ、この基準板で反射された励起光を励起光カットフィルタを通して受光素子で受光し光電変換して励起光中の赤外光成分を示す赤外光画像信号を取得し、この赤外光画像信号を放射線画像信号から差し引いてこの放射線画像信号を補正することを特徴とするものである。
【００１１】
本発明の放射線画像信号取得装置は、赤色光および赤外光を含む励起光を射出する光源と、赤色光を遮断し、励起光の照射を受けて蓄積性蛍光体シートから発生した輝尽発光光を透過させる励起光カットフィルタと、この励起光カットフィルタを通して前記輝尽発光光を受光し光電変換して蓄積性蛍光体シートに記録されている放射線像を示す放射線画像信号を取得する、シリコンを主成分とするフォトダイオードからなる受光素子とを備えた放射線画像信号取得装置において、光源から射出された励起光を、赤外光に対して前記蓄積性蛍光体シートと略同等の反射特性を有し励起光が照射されても輝尽発光光を発生しない基準板で反射させ、この基準板で反射された励起光を励起光カットフィルタを通して受光素子で受光し光電変換して取得した前記励起光中の赤外光成分を示す赤外光画像信号を、前記放射線画像信号から差し引いてこの放射線画像信号を補正する画像信号補正手段を備えていることを特徴とするものである。
【００１２】
前記放射線画像信号取得装置は、基準板を備えたものとすることができ、この基準板は放射線エネルギーが消去されている上記蓄積性蛍光体シートとすることができる。なお、上記放射線エネルギーが消去されている蓄積性蛍光体シートとは、励起光が照射されたときに、この蓄積性蛍光体シートから実質的に輝尽発光光が発生しないように放射線エネルギーが消去されている蓄積性蛍光体シートを意味するものである。
【００１３】
前記画像信号補正手段は、赤外光画像信号を記憶する赤外光画像信号記憶手段を備え、この赤外光画像信号記憶手段に記憶された赤外光画像信号を用いて上記補正を行なうものとすることができる。
【００１４】
前記「赤色光を遮断する」とは、赤色光を実質的に問題のない程度まで遮断することを意味し、赤色光を吸収して遮断したり、赤色光を反射させて遮断したりあるいはこれらの方式と異なる方式で遮断してもよい。
【００１５】
前記励起光中の赤外光成分は、励起光カットフィルタを通した後の励起光に含まれる赤外光成分を意味するものである。
【００１６】
【発明の効果】
本発明の放射線画像信号取得方法および装置によれば、蓄積性蛍光体シートに記録されている放射線像を示す放射線画像信号を取得するにあたり、光源から射出された励起光を、赤外光に対して上記蓄積性蛍光体シートと略同等の反射特性を有しこの励起光が照射されても輝尽発光光を発生しない基準板で反射させ、この基準板で反射された励起光を励起光カットフィルタを通して受光素子で受光し光電変換して上記励起光中の赤外光成分を示す赤外光画像信号を取得し、この赤外光画像信号を上記放射線画像信号から差し引いてこの放射線画像信号を補正するようにしたので、放射線像を示す放射線画像信号に混入して取得された赤外光を示す画像信号の成分を低減することができ、これにより、この放射線画像信号によって表される画像の品質を向上させることができる。
【００１７】
また、放射線画像信号取得装置を、上記基準板が備えられているものとすれば、上記励起光中の赤外光成分を示す赤外光画像信号を取得する操作をより容易に実行することができ、さらに、この基準板を、放射線エネルギーが消去されている上記蓄積性蛍光体シートとすれば、放射線画像信号を補正するための赤外光画像信号をより正確に取得することができる。
【００１８】
ここで、画像信号補正手段が、上記赤外光画像信号を記憶する赤外光画像信号記憶手段を備え、この赤外光画像信号記憶手段に記憶された赤外光画像信号を用いて上記補正を行なうようにすれば、放射線画像信号を取得する度に赤外光画像信号を取得する必要がなくなり、上記補正をより短時間で行なうことができる。
【００１９】
【発明の実施の形態】
以下、本発明の実施の形態について、図面を用いて説明する。図１は本発明の実施の形態の放射線画像信号取得装置の概略構成を示す図であり、図１（ａ）は上記装置の正面図、図１（ｂ）は上記装置の側面図である。図２は読取部の概略構成を側面から示す拡大断面図、図３は赤外光画像信号を取得する際の各部の配置を側面から示す断面図、図４は被写体の放射線像が蓄積性蛍光体シートに記録される際の各部の配置を側面から示す断面図、図５は放射線画像信号を取得する際の各部の配置を側面から示す断面図、図６は消去光を蓄積性蛍光体シートに照射する際の各部の配置を側面から示す断面図である。
【００２０】
図１および図２に示すように、本発明の実施の形態による放射線画像信号取得装置は、赤色光および赤外光を含む励起光を射出する光源１０と、赤色光を遮断し、励起光の照射を受けて蓄積性蛍光体シート１から発生した輝尽発光光を透過させる励起光カットフィルタ２０と、この励起光カットフィルタ２０を通して上記輝尽発光光を受光し光電変換して蓄積性蛍光体シート１に記録されている放射線像を示す放射線画像信号を取得する、シリコンを主成分とするフォトダイオードからなる受光素子であるラインセンサ３０とを読取部５０に備えている。なお、上記ラインセンサ３０は多数のフォトダイオードが線状に並べられて形成されたＣＣＤ素子からなるものである。
【００２１】
この放射線画像信号取得装置は、赤外光に対して蓄積性蛍光体シート１と略同等の反射特性を有し励起光が照射されても輝尽発光光を発生しない基準板４０と、光源１０から射出され上記基準板４０で反射された励起光を励起光カットフィルタ２０を通して受光素子３０で受光し光電変換して取得した励起光中の赤外光成分を示す赤外光画像信号を、上記放射線画像信号から差し引いてこの放射線画像信号を補正する画像信号補正手段６０とを備えている。
【００２２】
光源１０は、線状に励起光を発するブロードエリアレーザ１１、ブロードエリアレーザ１１から発せられた励起光を、後述する反射ミラー１３を介して蓄積性蛍光体シート１上の主走査方向（図２において紙面に垂直なＸ方向、以後主走査Ｘ方向と呼ぶ）に延びる方向に線状に集光させるトーリックレンズ等からなる光学系１２、および光学系１２を通して射出された線状の励起光を反射して上記励起光の光路を変更させる反射ミラー１３等によって構成されている。
【００２３】
なお、上記光源１０と、励起光カットフィルタ２０と、ラインセンサ３０とは読取部５０に一体的に配設されており、この読取部５０は、上記光源１０、ラインセンサ２０および励起光カットフィルタ２０の他に、上記励起光の照射を受けた蓄積性蛍光体シート１上の線状の領域から発生した輝尽発光光を上記励起光カットフィルタ２０を通してラインセンサ３０上に結像させる結像レンズ２１と、蓄積性蛍光体シート１から放射線像が読み取られた後にこの蓄積性蛍光体シート１に残存する放射線エネルギを消去する消去光を照射する、主走査Ｘ方向に延びる消去用蛍光灯６０とを備えている。なお、上記結像レンズ２１は多数の結像レンズが主走査Ｘ方向に並設されて形成されたものである。
【００２４】
画像信号補正手段６０は、画像信号をアナログ信号からデジタル信号に変換するＡ／Ｄ変換器６１、Ａ／Ｄ変換器６１によってデジタル信号に変換された画像信号を一時保存しておく画像バッファ６２、画像バッファ６２から出力された画像信号である赤外光画像信号を記憶する赤外光画像メモリ６３、画像バッファ６２から出力された画像信号である放射線画像信号を記憶する放射線画像メモリ６４、および赤外光画像メモリ６３から赤外光画像信号を入力し放射線画像メモリ６４から放射線画像信号を入力して、上記赤外光画像信号を放射線画像信号から差し引いて放射線画像信号を補正した補正済画像信号を取得する補正演算部６５を備えている。
【００２５】
さらに、この放射線画像信号取得装置には、蓄積性蛍光体シート１の向きが略鉛直となるように蓄積性蛍光体シート１を固定する剛性を有するシート基台７１と、このシート基台７１の蓄積性蛍光体シート１側とは反対側を介して、このシート基台７１を蓄積性蛍光体シート１の表面Ｓに垂直な方向（図中矢印Ｚ方向）に平行移動させ、蓄積性蛍光体シート１を放射線像記録位置Ｒと放射線像読取位置Ｗとに切り換えて位置させる、空圧あるいは油圧等を用いたシリンダ伸縮駆動機構７２とを有するシート基台移動手段７０とと共に、このシート基台移動手段７０によるシート基台７１の平行移動に干渉しないようにシート基台７１の主走査Ｘ方向両側に、かつ上記蓄積性蛍光体シート１の放射線像記録位置Ｒと放射線像読取位置Ｗとの間に挟まれる位置に、レールベース台７６Ａ、７６Ｂを介して配設された上記主走査Ｘ方向と直交する図中矢印Ｙ方向（以後副走査Ｙ方向と呼ぶ）に延びるガイドレール７７Ａ、７７Ｂと、ガイドレール７７Ａ、７７Ｂに嵌合し、上記読取部５０を保持しながらこのガイドレール７７Ａ、７７Ｂ上をボールネジあるいはワイヤ等を用いた図示しない駆動手段によって副走査Ｙ方向に移動される読取部移動台７８等とからなるリニアスライドシステムを成す読取部移動手段７５が備えられている。
【００２６】
なお、レールベース台７６Ａ、７６Ｂ、シート基台移動手段７０、および基準板４０が配置されている基準板台４１は、装置ベース８０上に固定されている。
【００２７】
次に上記第１の実施の形態における作用について説明する。
【００２８】
まず始めに、励起光に含まれる赤外光を検出して赤外光画像信号を取得するために、読取部移動手段７５により、読取部５０を、基準板４０で反射させた励起光を検出する赤外光検出位置Ｐ１に移動させる（図３参照）。この位置において、光源１０から射出された赤色光および赤外光を含む励起光Ｌｅを基準板４０で反射させ、この基準板４０で反射された励起光を励起光カットフィルタ２０を通してラインセンサ３０で受光し光電変換してこの励起光中の赤外光成分を示す赤外光画像信号を取得する。上記のようにして取得された、基準板４０によって反射された主走査Ｘ方向の１ライン分の赤外光を示す赤外光画像信号は、Ａ／Ｄ変換器６１および画像バッファ６２を通して赤外光画像メモリ６３に記憶される。
【００２９】
次に、シート基台移動手段７０によりシート基台７１を装置ベース８０の側とは反対側に移動させて蓄積性蛍光体シート１を放射線像読取位置Ｗに位置させる（図４参照）。この位置において被写体５を通して蓄積性蛍光体シート１に放射線Ｘｅを照射しこの蓄積性蛍光体シート１に被写体５の放射線像を記録する。
【００３０】
上記蓄積性蛍光体シート１への放射線像の記録が終了した後、シート基台移動手段７０により、シート基台７１を装置ベース８０側に移動させて蓄積性蛍光体シート１を放射線像読取位置Ｗに移動させ、この位置において蓄積性蛍光体シート１に記録された放射線像の読み取りを行なう（図５参照）。読取部移動手段７５により読取部５０を移動させ、この読取部５０を蓄積性蛍光体シート１上の読取開始位置Ｐ２に位置させる。読取部移動手段７５により、読取部５０を読取開始位置Ｐ２からレールベース台７６Ａに向かう往路（図５中矢印Ｄ１方向）に移動させつつ、読取部５０により、光源１０から射出された線状の励起光Ｌｅの照射を受けて蓄積性蛍光体シート１から発生した輝尽発光光を、励起光カットフィルタ２０を通してラインセンサ３０で受光し光電変換して蓄積性蛍光体シートに記録された２次元状の放射線像を示す放射線画像信号を取得する。
【００３１】
上記放射線像を示す放射線画像信号は、Ａ／Ｄ変換器６１、画像バッファ６２通して主走査Ｘ方向の１ライン毎に放射線画像メモリ６４に逐次記憶される。読取部５０が往路の端部位置Ｐ３まで移動されると蓄積性蛍光体シート１に記録された放射線像の読取りが終了する。
【００３２】
次に、放射線画像メモリ６４に記憶された放射線画像信号と、上記赤外光画像メモリ６３に記憶された赤外光画像信号とが補正演算部６５に入力され、この補正演算部６５により、赤外光画像信号を放射線画像信号から差し引いて、放射線画像信号を補正した補正済画像信号Ｇを取得する。すなわち、赤外光画像メモリ６３に記憶されている、基準板４０で反射された主走査Ｘ方向１ライン分の赤外光を示す赤外光画像信号を、放射線画像メモリ６４に記憶されている放射線画像信号中の主走査Ｘ方向の各１ライン分の画像信号から差し引いて、上記補正済画像信号Ｇを取得する。これにより、放射線像を示す放射線画像信号に混入して取得された赤外光を示す画像信号の成分を低減することができる。
【００３３】
その後、上記往路の端部位置Ｐ３に位置する読取部５０は、図６に示すように、読取部移動手段７５によってレールベース台７６Ａから、レールベース台７６Ｂに向かう復路（図６中矢印Ｄ２方向）に移動されつつ、この読取部５０に配設されている消去用蛍光灯６０からの消去光の照射によって、蓄積性蛍光体シート１に残存する放射線エネルギが消去される。これにより、蓄積性蛍光体シート１は再び放射線画像情報の記録が可能となる。
【００３４】
なお、上記基準板で反射された励起光を受光してこの励起光中の赤外光成分を示す赤外光画像信号を取得する動作は、蓄積性蛍光体シートからの放射線像の読取り、および蓄積性蛍光体シートに残存する放射線エネルギの消去が終了してから行うようにしてもよい。
【００３５】
なお、上記赤外光画像信号を取得するための基準板として、放射線エネルギーが消去された蓄積性蛍光体シートを用いるようにしてもよい。
【００３６】
また、上記基準板として、この装置で使用された蓄積性蛍光体シート、すなわち、放射線像が読み取られ、さらに放射線エネルギーが消去された蓄積性蛍光体シートを用いるようにしてもよい。このようにすれば基準板を別途装置に備える必要はなくなる。
【００３７】
ここで、上記放射線画像信号の補正に使用される赤外光画像信号は、必ずしも蓄積性蛍光体シートから輝尽発光光を検出する度に取得する必要はなく、赤外光画像メモリに赤外光画像信号を記憶させたままにしておき、取得された放射線画像信号の補正を行なう際にはこの赤外光画像メモリに記憶されている赤外光画像信号を呼び出して補正を行ない補正済画像信号Ｇを取得するようにしてもよい。このような方式を採用する場合には、基準板は必ずしも装置に備える必要はなく、装置メンテナンス等のときに装置に基準板を配置して赤外光画像メモリに記憶させておく赤外光画像信号を較正するようにしてもよい。
【００３８】
なお、読取部５０による画像信号の取得において、光を受光しなくてもラインセンサから出力される信号である暗信号が赤外光画像信号および放射線画像信号に含まれて取得される場合には、上記補正を行なうことによりこの暗信号も赤外光画像信号と共に放射線画像信号から差し引くことができる。一方、暗信号は受光素子の温度に応じて大きく変動するので、赤外光画像メモリに赤外光画像信号を記憶させたままにしておく上記態様の場合には、以下のようにして補正済画像信号Ｇを取得するようにするようにしてもよい。すなわち、赤外光画像信号を取得すると共に、励起光を射出していない状態でのラインセンサからの出力を暗信号として取得し、上記赤外光画像信号からこの暗信号を差し引いた処理済赤外光画像信号を赤外光画像メモリに記憶させておく、その後、放射線画像信号が取得される度に上記のようにして暗信号を取得し、この放射線画像信号から、暗信号と、上記予め装置内に記憶されている処理済赤外光画像信号とを差し引いて補正済画像信号Ｇを取得するようにしてもよい。このようにすることにより、受光素子の温度に応じて変動する暗信号の補正済画像信号Ｇへの影響を低減することができる。
【００３９】
なお、上記実施の形態においては受光素子としてＣＣＤ素子を用いる例を示したが、受光素子としては、シリコンを主成分とするフォトダイオードを用いて受光するものであれば、すなわち赤外光に対しても感度を有するものであればどのような素子を受光素子として採用しても上記と同様の効果を得ることができる。より具体的には、上記ＣＣＤ型固体撮像素子の他に、ＣＭＯＳ型固体撮像素子やＶＭＩＳ型固体撮像素子等からなる受光素子を上記実施の形態に適用しても同様の効果を得ることができる。
【００４０】
また、輝尽発光光を検出する際には、励起光を射出する光源から、この励起光の照射を受けて蓄積性蛍光体シートから発生した輝尽発光光を受光する受光素子までの励起光または輝尽発光光が伝播される光路中のいずれかの位置、例えば、赤色光を遮断した後の位置に、赤外光成分を減衰させる比較的安価な赤外光減衰フィルタを配置することがより望ましい。なお、上記赤外光減衰フィルタでは赤外光を実質的に問題のない程度まで遮断することは難しいが、ノイズとなる赤外光の絶対値が小さくなるので、この赤外光減衰フィルタを通して輝尽発光光を検出することによって、上記放射線画像信号のＳ／Ｎをより向上させることができる。
【図面の簡単な説明】
【図１】本発明の実施の形態による放射線画像信号取得装置の概略構成を示す図
【図２】読取部の概略構成を側面から示す拡大図
【図３】赤外光画像信号を取得する際の各部の配置を示す側面図
【図４】放射線像が蓄積性蛍光体シートに記録される際の各部の配置を示す側面図
【図５】放射線画像信号を取得する際の各部の配置を示す側面図
【図６】消去光を蓄積性蛍光体シートに照射する際の各部の配置を示す側面図
【符号の説明】
１    蓄積性蛍光体シート
１０    光源
２０    励起光カットフィルタ
３０ラインセンサ
４０    基準板
５０    読取部
６０    画像信号補正手段
【図１】
0003791680.tif 000002
【図２】
0003791680.tif 000003
【図３】
0003791680.tif 000004
【図４】
0003791680.tif 000005
【図５】
0003791680.tif 000006
【図６】
0003791680.tif 000007